(57)【要約】【課題】  映像信号、音声信号などのソースを再生するだけで、ソースに付加された付加情報を簡単に取り出すことができ、利用者に提供することができる車載装置を提供する。【解決手段】  音声を集音し音声信号に変換するマイク１１と、音声信号に含まれるＯＦＤＭ変調されたデータを抽出して復調し、音声信号に付加された付加情報を取り出す音響ＯＦＤＭ解析部１２と、付加情報に含まれる識別データを検出し、識別データ以降の付加情報を有効な情報として記憶部６に記憶させる制御部２０とを有している。【選択図】        図１
2009015264.tif 000002
【特許請求の範囲】
【請求項１】
音声を集音して音声信号に変換する変換手段と、
前記音声信号に付加された付加情報を抽出する抽出手段と、
前記付加情報に含まれる識別データを検出し、該識別データ以降に記録された付加情報を有効な情報として記憶手段に記憶させる制御手段と、
を有することを特徴とする情報処理装置。
【請求項２】
操作者の操作入力を受け付ける操作受付手段を有し、
前記制御手段は、前記操作受付手段で操作入力を受け付けると、入力した音声信号から前記付加情報を抽出する処理をの前記抽出手段に開始させることを特徴とする請求項１記載の情報処理装置。
【請求項３】
前記制御手段は、前記識別データを検出後、音声出力手段からの音声の出力を禁止にすることを特徴とする請求項１記載の情報処理装置。
【請求項４】
前記制御手段は、前記識別データ以降に記録された付加情報を取得することができなかった場合に、前記音声信号が再生装置によって再生された繰り返し再生が可能な信号であるか否かを判定し、繰り返し再生が可能な信号であった場合に前記音声信号を再度再生して、前記付加情報の取得を再度実行することを特徴とする請求項１から３のいずれか一項記載の情報処理装置。
【請求項５】
音声を集音し音声信号に変換するステップと、
前記音声信号に付加された付加情報を抽出するステップと、
前記付加情報に含まれる識別データを検出し、該識別データ以降に記録された付加情報を有効な情報として記憶手段に記憶させるステップと、
を有することを特徴とする付加情報取得方法。
【発明の詳細な説明】
【技術分野】
【０００１】
本発明は、ＣＤ（Compact Disc）、ＤＶＤ（Digital Versatile Disk）、地上波デジタル放送などのソースの再生、表示時に、これらのソースに付加された付加情報を取り出して表示する技術に関する。
【背景技術】
【０００２】
従来より、市販されているＣＤに収録された楽曲のタイトルやアーティスト名等の楽曲情報を登録したＣＤデータベースサーバが知られている。ＣＤデータベースサーバにアクセスすることで、ユーザは所有しているＣＤについて、各楽曲のタイトルやアーティスト名等を含む楽曲情報リストをＣＤデータベースサーバから取得することが出来る。
【０００３】
例えばパーソナルコンピュータをインターネットを介してＣＤデータベースサーバに接続し、パーソナルコンピュータに所有のＣＤを装填することによって、ＣＤについての楽曲情報をＣＤデータベースサーバからダウンロードし、ＣＤについての楽曲情報リストを自動的に作成することが出来る。また、パーソナルコンピュータにメモリスティック等の記録媒体を接続し、ＣＤに格納されている楽曲の音楽データと楽曲情報を記録媒体に転送することも行われている。ユーザは、記録媒体を車載装置に接続して、記録媒体に保持されたデータを車載装置に複写する。
【０００４】
また、アルバムや曲のタイトルデータを含む楽曲データをＦＭ多重放送により配信するサービスも開始されている。ＦＭ多重放送により配信された楽曲データを利用して、例えばＣＤを再生又は選曲する際に、アルバムや曲のタイトルを表示させることが可能な端末装置も製品化されている。
例えば、特許文献１では、ＦＭ受信機から供給される音声データをメモリに一時記憶した後、この音声データを声データと楽曲データに分離する。分離した楽曲データのみを圧縮してハードディスク装置に記憶する。このとき、ＦＭ受信機から供給される文字情報を解析して楽曲情報（曲名、アーティスト名）を取り出し、ハードディスク装置に保存する。楽曲データの再生時には、楽曲情報を付加して録音することができるとしている。
【０００５】
【特許文献１】特開２００６−４０４４１号公報
【発明の開示】
【発明が解決しようとする課題】
【０００６】
しかしながら、車載装置において、上述した手順により楽曲情報を更新するためには、車載装置又はその記憶装置を車両から取り外してＰＣに接続し、楽曲情報を更新した後に車載装置又は記憶装置を車両に取り付けなければならなかった。楽曲情報の更新のたびに車載装置や記憶装置を取り外さなければならず、非常に煩わしい作業であった。
また、メモリスティック等の記録媒体を利用する方法も、パーソナルコンピュータを立ち上げて、楽曲データや楽曲情報を記録媒体に記録しなければならなかった。
【０００７】
また、楽曲データベースをＦＭ多重放送により配信する技術では、ＦＭ多重放送により楽曲情報を更新中は、ＶＩＣＳ（Vehicle Information and Communication System）情報を更新することができないという問題が生じる。
【０００８】
本発明は上記事情に鑑みてなされたものであり、音声や映像などのソースを再生するだけで、ソースに付加された付加情報を簡単に取り出すことができ、利用者に提供することができる情報処理装置及び付加情報取得方法を提供することを目的とする。
【課題を解決するための手段】
【０００９】
かかる目的を達成するために本発明の情報処理装置は、音声を集音して音声信号に変換する変換手段と、前記音声信号に付加された付加情報を抽出する抽出手段と、前記付加情報に含まれる識別データを検出し、該識別データ以降に記録された付加情報を有効な情報として記憶手段に記憶させる制御手段とを有する構成としている。
本発明によれば、音声を再生することで、音声信号に付加されている付加情報を簡単に取り出すことできる。従って、有効な情報を利用者に簡単に提供することができる。
【００１０】
上記情報処理装置において、操作者の操作入力を受け付ける操作受付手段を有し、前記制御手段は、前記操作受付手段で操作入力を受け付けると、入力した音声信号から前記付加情報を抽出する処理をの前記抽出手段に開始させるとよい。
従って、手動操作によって情報処理装置に付加情報の取得を開始させることができる。このため、情報処理装置に外部接続された再生機器からの音声であっても、付加情報を取得することができる。
【００１１】
上記情報処理装置において、前記制御手段は、前記識別データを検出後、音声出力手段からの音声の出力を禁止にするとよい。
音声出力手段からの音声の出力を禁止にすることで、変換手段や抽出手段の精度を高め、付加情報の検出をより正確に行うことができる。
【００１２】
上記情報処理装置において、前記制御手段は、前記識別データ以降に記録された付加情報を取得することができなかった場合に、前記音声信号が再生装置によって再生された繰り返し再生が可能な信号であるか否かを判定し、繰り返し再生が可能な信号であった場合に前記音声信号を再度再生して、前記付加情報の取得を再度実行するとよい。
従って、付加情報の取得に失敗した場合に、付加情報の取得を再度実行することができる。
【００１３】
本発明の付加情報取得方法は、音声を集音し音声信号に変換するステップと、前記音声信号に付加された付加情報を抽出するステップと、前記付加情報に含まれる識別データを検出し、該識別データ以降に記録された付加情報を有効な情報として記憶手段に記憶させるステップとを有している。
【発明の効果】
【００１４】
本発明によれば、音声を再生することによって、音声信号に付加された付加情報を取り出し、利用者に有効な情報を提供することができる。
【発明を実施するための最良の形態】
【００１５】
添付図面を参照しながら本発明の最良の実施例を説明する。
【実施例】
【００１６】
まず、図１には、本発明の情報処理装置を車載装置に適用した実施例の構成を示す。図１に示すように本実施例の車載装置１は、ＧＰＳ情報受信部２、ＤＴＶチューナ部３、ラジオ受信部４、通信ユニット５、記憶部６、操作部７、表示部８、ＣＤ／ＤＶＤ再生部９、外部接続ユニット１０、マイク１１、音響ＯＦＤＭ（Orthogonal Frequency Division Multiplexing）解析部１２、音声調整部１３、スピーカ１４、制御部２０を備えている。
【００１７】
ＧＰＳ情報受信部２は、ＧＰＳアンテナとチューナ部とを有し、衛星からのＧＰＳ信号を受信する。ＧＰＳ情報受信部２で受信したＧＰＳ信号は、制御部２０に出力され、制御部２０でＧＰＳ信号に基づいて自車位置が割り出される。
【００１８】
ＤＴＶチューナ部３は、アンテナによって受信した地上波デジタル放送の放送波をチューニングし、チューニングによって得られた放送信号を制御部２０に出力する。
【００１９】
ラジオ受信部４は、アンテナとチューナ部とを有しており、ＡＭ放送、ＦＭ放送、多重放送、地上デジタル音声放送等の放送波を受信して、音声信号や多重データの復調を行い、復調した音声信号を制御部２０に出力する。
【００２０】
通信ユニット５は、携帯電話機１５とデータ伝送可能に接続されており、制御部２０は携帯電話機１５の通話状態などを通信ユニット５を介して取得可能となっている。また、制御部２０は、通信ユニット５を介して携帯電話機１５を制御可能となっている。例えば、制御部２０は、携帯電話機１５の着信音量を制御したり、車載装置１のスピーカ１４やマイク１１を使用した通話を実現するための制御を行う。
【００２１】
記憶部６には、制御部２０が制御に使用するプログラム、制御部２０の演算データ、ＧＰＳ情報受信部２で受信したＧＰＳ信号、ナビゲーションのために利用される地図情報、音楽データ、楽曲のタイトルやアーティスト名等の楽曲情報リスト、ＤＴＶチューナ部３から入力した地上波デジタル放送の放送信号、ラジオ受信部４で復調されたラジオ放送の音声信号、携帯電話機１５と通信ユニット５とを介して取得した情報などが記憶される。
【００２２】
操作部７は、タッチパネルを含む。タッチパネルは、例えば、表示部８の表示画面の上に配置されるものであり、指や専用のペンによりタッチパネルが接触されると、その接触位置が検知されて、入力操作の有無が判別できるようになっている。
【００２３】
表示部８は、液晶パネルを備え、ＤＴＶチューナ部３で受信した放送信号、制御部２０で生成された地図データ、ラジオの受信放送周波数、ＣＤの再生楽曲トラックＮｏ、再生楽曲名、ＤＶＤの映像などを表示する。
【００２４】
ＣＤ／ＤＶＤ再生部９は、ＣＤやＤＶＤに記録されたデータを再生し、再生信号を制御部２０に出力する。
【００２５】
外部接続ユニット１０は、ＵＳＢ（Universal Serial Bus）メモリや、携帯型オーディオ装置等の外部機器との接続端子を備え、外部機器からの音声信号やデータを入力して制御部２０に送り、制御部２０から送られる制御信号、音声信号やデータ等を接続した外部機器に出力する。
【００２６】
マイク１１は、スピーカ１４から出力される音声や、車内に持ち込まれたＣＤやＭＤ（Mini-Disk）等の再生装置によって出力される音声を取り込んで、音声信号として制御部２０に出力する。
【００２７】
制御部２０は、車載装置１の全体を制御する。また、制御部２０は、ＣＤ／ＤＶＤ再生部９で再生される音楽や映像の音声信号を音声調整部１３を介してスピーカ１４に出力させる。同様に、ＤＴＶチューナ部３から入力した地上波デジタル放送の放送信号や、ラジオ受信部４で受信したデジタルラジオの放送音声を音声調整部１３を介してスピーカ１４に出力させる。さらに、外部接続ユニット１０を介して外部機器から入力した音声データをスピーカ１４に出力させる。
また、制御部２０は、スピーカ１４から出力される音声をマイク１１から入力し、入力した音声信号を音響ＯＦＤＭ解析部１２に出力する。
さらに制御部２０は、音声信号から取り出された付加データ（付加データについては後述する）を音響ＯＦＤＭ解析部１２から取得する。取得した付加データに含まれる識別データを検出して、この識別データ以降の付加データを有効なデータとして記憶部６に記憶させる。記憶部６に記憶された付加データは、表示部８に表示させたり、記憶部６に記憶しているデータの更新に使用される。
【００２８】
音響ＯＦＤＭ解析部１２は、制御部２０から取得した音声信号から付加データを抽出する。ＤＴＶチューナ部３で受信した地上波デジタル放送、ラジオ受信部４で受信したデジタルラジオの放送信号や、ＣＤ／ＤＶＤ再生部９、外部機器によって再生される音声信号には、ＯＦＤＭ変調された付加データが重畳されているものが含まれる。
ＯＦＤＭ変調された付加データの付加は、図２（Ａ）に示すように音声信号の高周波数成分をフィルタによってカットし、カットした音声信号の高周波数成分の振幅に合わせてＯＦＤＭ信号の振幅を変調する（図２（Ｂ）参照）。これによってＯＦＤＭ信号が重畳された音声信号が生成される。
【００２９】
図３に、音響ＯＦＤＭ解析部１２の構成を示す。図３に示すように音響ＯＦＤＭ解析部１２は、帯域分割フィルタ１２１と、フレーム同期部１２２と、ＯＦＤＭ復調部１２３とを有している。
マイク１１で入力した音声信号を帯域分割フィルタ１２１で低域信号と高域信号に分離する。低域信号はフレーム同期部１２２に出力され、高域信号はＯＦＤＭ復調部１２３に出力される。
音声信号の低域信号には、ＯＦＤＭフレームの周期で高い自己相関値を持つ、例えばＰＮ系列のフレーム同期信号が付加されている。
フレーム同期部１２２は、低域信号とＰＮ系列の相関をとり、高い相関値を示したところをＯＦＤＭフレームの先頭と識別する。フレーム同期部１２２からＯＦＤＭ復調部１２３には、フレーム同期情報が出力される。ＯＦＤＭ復調部１２３は、フレーム同期情報を利用してフレーム単位で高域信号をＯＦＤＭ復調する。音響ＯＦＤＭ解析部１２は、復調によって取得した付加データを制御部２０に出力する。
【００３０】
付加データには、以下のものが含まれる。
付加データが、ＤＴＶチューナ部３から入力した地上波デジタル放送の放送信号や、ラジオ受信部４で受信したデジタルラジオ放送の放送信号に含まれる付加データであった場合、放送中の番組に関する情報などが含まれる。
また、付加データが、ＣＤ／ＤＶＤ再生部９や外部機器の再生した音楽や音声の信号に含まれるものであれば、アルバムや曲のタイトル、再生している映像に関する情報などが含まれる。
【００３１】
音声調整部１３は、ＤＴＶチューナ部３、ラジオ受信部４、ＣＤ／ＤＶＤ再生部９、外部接続ユニット１０に接続された外部機器から出力される音声信号に、音量調整や音質調整等の信号処理を行ってスピーカ１４に出力する。
【００３２】
本実施例の車載装置１は、再生又は放送された音声信号をマイク入力し、入力した音声信号に付加されている付加データを取り出して、利用者に有効な情報として表示部８に表示したり、記憶部６に記憶しているデータの更新に利用される。
ＤＴＶチューナ部３で受信した地上波デジタル放送、ラジオ受信部４で受信したデジタルラジオの放送信号や、ＣＤ／ＤＶＤ再生部９、外部機器によって再生される音声信号には、ＯＦＤＭ変調された付加データが重畳されている。制御部２０は、マイク入力した音声信号を音響ＯＦＤＭ解析部１２に出力する。
音響ＯＦＤＭ解析部１２は、制御部２０から入力した音声信号に重畳されているＯＦＤＭ変調されたデータを取り出す。取り出したＯＦＤＭ変調されたデータを復調して、付加データを取り出す。取り出した付加データは、制御部２０に出力される。
【００３３】
制御部２０は、音響ＯＦＤＭ解析部１２から取得した付加データから識別データを検出する。
付加データには、図４に示すような識別データが含まれている。
本実施例では、図４に示すように識別データ「ＣＢ」が付加データに含まれていることで、付加データがＣＤデータベースのデータであることを示す。また識別データ「ＪＹ」が付加データに含まれていることで、付加データが渋滞データであることを示す。また識別データ「ＴＩ」が付加データに含まれていることで、付加データが地図データの座標データであることを示し、識別データ「ＴＩ＿ＯＢ」が含まれていることで、付加データが地図データのオブジェクトデータであることを示す。
【００３４】
制御部２０は、音響ＯＦＤＭ解析部１２から付加データを取得すると、上述した識別データの検出タイミングを開始タイミングとし、この識別データ以降の付加データを有効なデータとして記憶部６に保存する。
従って、識別データの後に利用者に提供する情報を付加しておくことで、音声信号を再生により音声信号に付加された付加情報を取り出すことができる。
【００３５】
図５に示すフローチャートを参照しながら制御部２０の処理手順を説明する。
地上波デジタル放送やデジタルラジオの受信開始ボタン、ＣＤ／ＤＶＤ再生部９の再生ボタンが操作されると（ステップＳ１）、制御部２０はマイク１１により音声信号を入力し、入力した音声信号を音響ＯＦＤＭ解析部１２に出力する。
車内に持ち込まれた外部機器の出力する音声信号に含まれる付加データを取得する時には、操作部７の操作ボタンを押下することで、制御部２０は音声信号をマイク入力し、音響ＯＦＤＭ解析部１２に出力する。
音響ＯＦＤＭ解析部１２は、制御部２０から取得した音声信号の解析を行う（ステップＳ２）。音響ＯＦＤＭ解析部１２は、帯域分割フィルタ１２１によって音声信号に重畳されたＯＦＤＭ変調されたデータを取り出す。取り出したＯＦＤＭ変調されたデータをＯＦＤＭ復調部１２３で復調して、付加データを取り出す。取り出した付加データは、制御部２０に出力される。
【００３６】
次に、制御部２０は、取得した付加データから識別データを検出する（ステップＳ３）。制御部２０は、付加データを検出すると（ステップＳ３／ＹＥＳ）、携帯電話機の着信音、ナビゲーションの音声などがオフに設定されているか否かを判定する（ステップＳ４）。オフに設定されていない場合には（ステップＳ４／ＮＯ）、再生中の音声以外の音声のスピーカ１３からの出力をオフに設定する（ステップＳ５）。
再生中の音声信号以外の音声をスピーカ１４から出力しないようにすることで、付加データの検出精度を高めることができる。
【００３７】
また、制御部２０は、検出した識別データ以降に取得した付加データを記憶部６に記憶していく。そして、制御部２０は、付加データを正常に取得することができたか否かを判定する（ステップＳ７）。付加データを正常に取得することができた場合には（ステップＳ７／ＹＥＳ）、取得した付加データの反映を行う（ステップＳ８）。すなわち、制御部２０は、付加データを利用者に有効な情報として表示部８に表示したり、記憶部６に記憶しているデータを更新する。
【００３８】
また、付加データを正常に取得することができなかった場合には（ステップＳ７／ＮＯ）、制御部２０は付加データを取得することができなかった旨を表示部８に表示させたり、利用者に音声通知する（ステップＳ９）。
次に、制御部２０は、ソースが再度再生可能なソースであるか否かを判定する。ソースがＣＤやＤＶＤ、外部機器の再生する音声信号である場合、音声信号を再度再生して、付加データを再取得することができる。ソースを再度再生することが可能であった場合（ステップＳ１０／ＹＥＳ）、制御部２０はデータの取得を再度行うことを希望するか否かを確認するメッセージを表示部８に表示する（ステップＳ１１）。ユーザがデータの取得を再度行うを選択した場合には（ステップＳ１２／ＹＥＳ）、もう一度ソースを再生し、上述したステップＳ２〜６の手順に従って、付加データを取得する。付加データの検出に失敗しても、再度度付加データの検出を行うので、付加データの検出率を高めることができる。
【００３９】
このように本実施例は、音声信号を再生することで、音声信号に付加されている付加情報を簡単に取り出すことできる。従って、有効な情報を利用者に簡単に提供することができる。また、マイク１１で入力した音声データからも付加情報を簡単に取得することができる。
【００４０】
上述した実施例は本発明の好適な実施の一例である。但し、これに限定されるものではなく、本発明の要旨を逸脱しない範囲内において種々変形実施可能である。
例えば、上述した実施例では、ＤＴＶチューナ部３、ラジオ受信部４で受信した地上波デジタル放送、デジタルラジオの放送信号や、ＣＤ／ＤＶＤ再生部９や外部機器によって再生される音声信号をマイク入力し、入力した音声信号から付加データを取得していた。これ以外に、ＣＤ／ＤＶＤ再生部９に挿入されたＣＤやＤＶＤから直接音声信号を読み取って、読み取った音声信号に含まれる付加データを音響ＯＦＤＭ解析部１２で取り出すようにしてもよい。
【図面の簡単な説明】
【００４１】
【図１】車載装置の構成を示すブロック図である。
【図２】ＯＦＤＭ変調されたデータが重畳された音声信号を説明するための図である。
【図３】音響ＯＦＤＭ解析部の構成を示す図である。
【図４】付加データに含まれる識別データを示す図である。
【図５】制御部の処理手順を示すフローチャートである。
【符号の説明】
【００４２】
１  車載装置
２  ＧＰＳ信号受信部
３  ＤＴＶチューナ部
４  ラジオ受信部
５  通信ユニット
６  記憶部
７  操作部（操作受付手段）
８  表示部
９  ＣＤ／ＤＶＤ再生部
１０  外部接続ユニット
１１  マイク（変換手段）
１２  音響ＯＦＤＭ解析部（抽出手段）
１３  音声調整部１３
１４  スピーカ
１５  携帯電話機
２０  制御部（制御手段）
１２１  帯域分割フィルタ
１２２  フレーム同期部
１２３  ＯＦＤＭ復調部
【図１】
2009015264.tif 000003
【図２】
2009015264.tif 000004
【図３】
2009015264.tif 000005
【図４】
2009015264.tif 000006
【図５】
2009015264.tif 000007